(57)【特許請求の範囲】
【請求項１】
洗浄水により洗浄される洋風便器本体と、給水源からボールタップを介して供給される該洗浄水を貯留する洗浄タンクと、該洋風便器本体の背後に設けられ、該洗浄タンクが収納されるタンクカバーと、該タンクカバーの上端に固定され、手洗後の該洗浄水を該洗浄タンクに排出可能な手洗鉢と、該ボールタップを介して供給される該洗浄水を該手洗鉢に向かって吐水させる吐水口をもつ吐水装置とを備え、該吐水装置は、下端側の下連結部が該ボールタップと連通し、上端側の上連結部が上方向に延在し、該下連結部と該上連結部との間の途中部が該タンクカバーに固定される連結管と、下端側の下吐水部が該上連結部と連通し、上端側の上吐水部が該手洗鉢に固定されて上端が前記吐水口とされる吐水管とからなる洋風水洗式便器において、
前記連結管は、前記手洗鉢の鉢面より後方で前記途中部から背後側に斜め上方に屈曲した後に上方に延在することにより前記上連結部が該途中部よりも背後に偏心し、該上連結部が前記下吐水部の下端に挿入されて該下吐水部と直線状に連通していることを特徴とする洋風水洗式便器。
【請求項２】
洗浄水により洗浄される洋風便器本体と、給水源からボールタップを介して供給される該洗浄水を貯留する洗浄タンクと、該洋風便器本体の背後に設けられ、該洗浄タンクが収納されるタンクカバーと、該タンクカバーの上端に固定され、手洗後の該洗浄水を該洗浄タンクに排出可能な手洗鉢と、該ボールタップを介して供給される該洗浄水を該手洗鉢に向かって吐水させる吐水口をもつ吐水装置とを備え、該吐水装置は、下端側の下連結部が該ボールタップと連通し、上端側の上連結部が上方向に延在し、該下連結部と該上連結部との間の途中部が該タンクカバーに固定される連結管と、下端側の下吐水部が該上連結部と連通し、上端側の上吐水部が該手洗鉢に固定されて上端が前記吐水口とされる吐水管とからなる洋風水洗式便器において、
前記連結管は前記途中部から前記上連結部まで直線状に連通し、該上連結部が前記下吐水部の下端に挿入され、前記吐水管は、前記手洗鉢の鉢面より後方で該下吐水部から背後側に斜め上方に屈曲した後に上方に延在することにより前記上吐水部が該下吐水部よりも背後に偏心していることを特徴とする洋風水洗式便器。
【請求項３】
洗浄タンクの周面には結露水の発生を防止する防露材が設けられていることを特徴とする請求項１又は２記載の洋風水洗式便器。
【発明の詳細な説明】
【０００１】
【発明の属する技術分野】
本発明は洋風水洗式便器に関する。
【０００２】
【従来の技術】
従来、陶磁器等の洋風便器本体と、水道管等の給水源からボールタップを介して供給される洗浄水を貯留する洗浄タンクと、洋風便器本体の背後に設けられ、洗浄タンクが収納されるタンクカバーと、タンクカバーの上端に固定された手洗鉢と、ボールタップを介して供給される洗浄水を手洗鉢に向かって吐水させる吐水口をもつ吐水装置とを備えた洋風水洗式便器が知られている。
【０００３】
吐水装置は、図６に示すように、ボールタップとタンクカバー９１との間に設けられる連結管９２と、この連結管９２と接続されて上端が吐水口９３ｃとされる吐水管９３とからなる。連結管９２は、下端側の下連結部９２ａがボールタップと連通し、上端側の上連結部９２ｃが上方向に延在し、下連結部９２ａと上連結部９２ｃとの間の途中部９２ｂがタンクカバー９１の上壁９１ａに固定されるようになっている。また、吐水管９３は、下端側の下吐水部９３ａが連結管９２の上連結部９２ｃと連通し、上端側の上吐水部９３ｂが手洗鉢９４に固定されている。タンクカバー９１内には洗浄タンク９５が設けられており、手洗鉢９４の最下部には洗浄タンク９５に連通する排水口９４ａが設けられている。
【０００４】
この洋風水洗式便器では、使用者が用を足した後、操作スイッチを操作する等により、洗浄タンク９５内に貯留されていた洗浄水が洋風便器本体へ供給され、洋風便器本体が洗浄される。洗浄タンク９５内の洗浄水が排出されれば、ボールタップが開状態となり、給水源から新たな洗浄水が洗浄タンク９５に貯留される。この際、ボールタップ内の洗浄水は連結管９２及び吐水管９３を経て吐水口９３ｃに導かれ、その洗浄水が吐水口９３ｃから手洗鉢９４に向かって吐水される。こうして使用者は手洗が可能である。なお、手洗鉢９４に吐水された手洗後の洗浄水は、排水口９４ａを経て下方に位置する洗浄タンク９５に排出される。
【０００５】
そして、洗浄タンク９５に貯留された洗浄水が一定の水位になると、ボールタップが閉状態となり、それ以上洗浄タンク９５への洗浄水の給水が停止される。また、これによりボールタップ内の洗浄水が連結管９２及び吐水管９３を経て吐水口９３ｃに導かれなくなるため、吐水口９３ｃからの洗浄水の吐水も停止される。
【０００６】
こうして、この洋風水洗式便器では、給水源からボールタップを介して供給される洗浄水によって、洋風便器本体の洗浄と手洗とを行うことができるため、給水源から他の配管等により接続する手洗装置を洋風水洗式便器とは別に設ける必要がなく、経済的である。また、この洋風水洗式便器では、タンクカバー９１の上方に手洗鉢９４と吐水装置とを位置させていることから、省スペースを実現することができる。さらに、この洋風水洗式便器では、手洗後の洗浄水を洗浄タンク９５に貯留して洋風便器本体の洗浄に供するため、洗浄水の有効利用によりランニングコストの低廉化が可能となる。
【０００７】
【発明が解決しようとする課題】
しかし、上記従来の洋風水洗式便器では、手洗鉢９４の背後に比較的大きな空間が存在し、手洗鉢９４の容積に制限を生じていた。
【０００８】
すなわち、この洋風水洗式便器では、タンクカバー９１内に収納された洗浄タンク９５内にボールタップの給水筒が位置し、そのボールタップに吐水装置における連結管９２の下連結部９２ａが連通される。また、タンクカバー９１及び洗浄タンク９５は各々自己の強度確保のために少なくとも一定の肉厚を有している。洗浄水を貯留する洗浄タンク９５の周面に結露水が生じることを防止するため、洗浄タンク９５の周面に発泡ポリスチレン等の防露材９６が設けられている場合には、タンクカバー９１、防露材９６及び洗浄タンク９５の各肉厚の合計は相当大きくなってしまう。このため、連結管９２の途中部９２ｂは、タンクカバー９１の背面から大きく前方にずれた位置でタンクカバー９１の上壁９１ａに固定されることとなる。そして、この洋風水洗式便器では、吐水装置の連結管９２が途中部９２ｂから上連結部９２ｃまで直線状に延在し、かつ吐水装置の吐水管９３の下吐水部９３ａも直線状に延在していた。こうして、タンクカバー９１の背面から大きく前方にずれた位置で連結管９２の上連結部９２ｃと吐水管９３の下吐水部９３ａとが接続され、手洗鉢９４の背後の空間が大きくなっていたため、手洗鉢９４の容積に制限を生じていたのである。
【０００９】
もちろん、連結管９２の下連結部９２ａから途中部９２ｂまでを高さ方向で長くすれば、タンクカバー９１の背面から大きく前方にずれた位置に下連結部９２ａを位置させつつ、タンクカバー９１の背面に可及的に近い位置に途中部９２ｂを位置させることも可能である。こうであれば、連結管９２の途中部９２ｂから上連結部９２ｃまでと、吐水管９３の下吐水部９３ａから上吐水部９３ｂまでとが共に直線状に延在していたとしても、タンクカバー９１の背面に可及的に近い位置で連結管９２の上連結部９２ｃと吐水管９３の下吐水部９３ａとを接続することが可能である。このため、手洗鉢９４の背後の空間を小さくすることができ、手洗鉢９４の容積を拡大することも可能である。しかしながら、こうすると、途中部９２ｂを固定する上壁９１ａの高さが高くなるため、手洗鉢９４が無用に高い位置となってしまい、手洗を困難にするとともに、省スペースに反することにもなってしまう。
【００１０】
本発明は、上記実情に鑑みてなされたものであり、手洗鉢の容積が制限を受け難く、かつ手洗を容易に行うことができるとともに省スペースを実現することが可能な洋風水洗式便器を提供することを解決すべき課題としている。
【００１１】
【課題を解決するための手段】
第１発明の洋風水洗式便器は、洗浄水により洗浄される洋風便器本体と、給水源からボールタップを介して供給される該洗浄水を貯留する洗浄タンクと、該洋風便器本体の背後に設けられ、該洗浄タンクが収納されるタンクカバーと、該タンクカバーの上端に固定され、手洗後の該洗浄水を該洗浄タンクに排出可能な手洗鉢と、該ボールタップを介して供給される該洗浄水を該手洗鉢に向かって吐水させる吐水口をもつ吐水装置とを備え、該吐水装置は、下端側の下連結部が該ボールタップと連通し、上端側の上連結部が上方向に延在し、該下連結部と該上連結部との間の途中部が該タンクカバーに固定される連結管と、下端側の下吐水部が該上連結部と連通し、上端側の上吐水部が該手洗鉢に固定されて上端が前記吐水口とされる吐水管とからなる洋風水洗式便器において、
前記連結管は、前記手洗鉢の鉢面より後方で前記途中部から背後側に斜め上方に屈曲した後に上方に延在することにより前記上連結部が該途中部よりも背後に偏心し、該上連結部が前記下吐水部の下端に挿入されて該下吐水部と直線状に連通していることを特徴とする。
【００１２】
第１発明の洋風水洗式便器では、連結管の上連結部が途中部よりも背後に偏心している。このため、例えタンクカバー及び洗浄タンクの肉厚の合計が相当大きくなり、特に洗浄タンクの周面に防露材が設けられることにより、タンクカバー、防露材及び洗浄タンクの各肉厚の合計が相当大きくなり、途中部がタンクカバーの背面から大きく前方にずれた位置でタンクカバーに固定されたとしても、上連結部をタンクカバーの背面に可及的に近づけることが可能となる。このため、タンクカバーの背面に可及的に近い位置で上連結部と吐水管の下吐水部とを接続することが可能となり、手洗鉢の背後の空間を小さくすることができることから、手洗鉢を背後方向に広くして容積を大きくすることが可能となる。
【００１３】
また、この洋風水洗式便器では、連結管の下連結部から途中部までを高さ方向で長くしなくても、手洗鉢の容積を大きくすることができるため、途中部を固定する上壁が高い位置となることはない。このため、手洗鉢の位置が無用に高くなることはなく、手洗が容易になるとともに、省スペースを実現することもできる。
【００１４】
したがって、第１発明の洋風水洗式便器によれば、手洗鉢の容積を拡大でき、かつ手洗を容易に行うことができるとともに省スペースを実現することが可能である。
【００１５】
第２発明の洋風水洗式便器は、洗浄水により洗浄される洋風便器本体と、給水源からボールタップを介して供給される該洗浄水を貯留する洗浄タンクと、該洋風便器本体の背後に設けられ、該洗浄タンクが収納されるタンクカバーと、該タンクカバーの上端に固定され、手洗後の該洗浄水を該洗浄タンクに排出可能な手洗鉢と、該ボールタップを介して供給される該洗浄水を該手洗鉢に向かって吐水させる吐水口をもつ吐水装置とを備え、該吐水装置は、下端側の下連結部が該ボールタップと連通し、上端側の上連結部が上方向に延在し、該下連結部と該上連結部との間の途中部が該タンクカバーに固定される連結管と、下端側の下吐水部が該上連結部と連通し、上端側の上吐水部が該手洗鉢に固定されて上端が前記吐水口とされる吐水管とからなる洋風水洗式便器において、
前記連結管は前記途中部から前記上連結部まで直線状に連通し、該上連結部が前記下吐水部の下端に挿入され、前記吐水管は、前記手洗鉢の鉢面より後方で該下吐水部から背後側に斜め上方に屈曲した後に上方に延在することにより前記上吐水部が該下吐水部よりも背後に偏心していることを特徴とする。
【００１６】
第２発明の洋風水洗式便器では、連結管が途中部から上連結部まで直線状に連通し、吐水管の上吐水部が下吐水部よりも背後に偏心している。このため、例えタンクカバー等の肉厚の合計が相当大きくなり、連結管及び下吐水部がタンクカバーの背面から大きく前方にずれた位置とされたとしても、上吐水管をタンクカバーの背面に可及的に近づけることが可能となる。このため、手洗鉢の背後の空間を小さくすることができ、手洗鉢を背後方向に広くして容積を大きくすることが可能となる。
【００１７】
また、この洋風水洗式便器においても、連結管の下連結部から途中部までを高さ方向で長くしなくても、手洗鉢の容積を大きくすることができるため、途中部を固定する上壁が高い位置となることはない。このため、手洗鉢の位置が無用に高くなることはなく、手洗が容易になるとともに、省スペースを実現することもできる。
【００１８】
したがって、第２発明の洋風水洗式便器によっても、手洗鉢の容積を拡大でき、かつ手洗を容易に行うことができるとともに省スペースを実現することが可能である。
【００１９】
第１、２発明の洋風水洗式便器は、洗浄タンクの周面には結露水の発生を防止する防露材が設けられている場合に上記効果が大きい。
【００２０】
【発明の実施の形態】
以下、第１、２発明を具体化した実施形態１、２を図面を参照しつつ説明する。
【００２１】
（実施形態１）
実施形態１は第１発明を具体化したものである。この洋風水洗式便器では、図１に示すように、陶磁器製の洋風便器本体１の背後にタンクカバー２が設けられており、タンクカバー２の内部には、洗浄タンク３が収納されている。洗浄タンク３の周面は、図２に示すように、発泡ポリスチレン製の防露材３ａによって囲包されている。タンクカバー２の側壁には、図１に示すように、洗浄レバー２ａが揺動可能に設けられており、この洗浄レバー２ａにより、洗浄タンク３内の洗浄水を洋風便器本体１に供給可能とされている。タンクカバー２の上端には、手洗鉢７がタンクカバー２と面一となるように載置されている。手洗鉢７は手前側に傾斜したボウル形状の鉢面７ａを有している。
【００２２】
図示しない水道管は止水栓を介してフレキシブルホースと接続されており、このフレキシブルホースは、図３に示すように、タンクカバー２の内部において、分岐栓を介して導管２０に接続されている。なお、分岐栓の他方は図示しない局部洗浄装置に接続されている。導管２０はボールタップ２１に接続され、ボールタップ２１は連結管４を介して吐水管５に連通されている。
【００２３】
連結管４は、図２に示すように、下端側の下連結部４ａと、上端側の上連結部４ｃと、下連結部４ａと上連結部４ｃとの間の途中部４ｂとからなる。下連結部４ａはボールタップ２１と連通している。図４に示すように、途中部４ｂはタンクカバー２の上壁２ｂに固定されている。上連結部４ｃは、この途中部４ｂから背後側に斜め上方に屈曲した後に上方に延在されている。こうして、上連結部４ｃは途中部４ｂよりも背後に偏心されている。
【００２４】
図２に示すように、吐水管５は、下端側の下吐水部５ａと、この下吐水部５ａから直線状に上方に延在する上端側の上吐水部５ｂとからなる。下吐水部５ａの下端には、図４に示すように、パッキン４ｄが設けられており、パッキン４ｄ内に上連結部４ｃが挿入されている。図２に示すように、上吐水部５ｂは、手洗鉢７に固定されて上方斜め手前側に延在されており、その先端が下方に開く吐水口５ｃになっている。連結管４と吐水管５とが吐水装置である。手洗鉢７の最下部には洗浄タンク３に連通する排水口７ｂが設けられている。
【００２５】
以上のように構成された洋風水洗式便器は、使用者が用を足した後、図１に示す洗浄レバー２ａを揺動させれば、洗浄タンク３内の洗浄水が洋風便器本体１に排出される。洗浄タンク３内の洗浄水が排出されれば、図３に示すボールタップ２１が開状態となり、水道管から新たな洗浄水が洗浄タンク３に貯留される。この際、ボールタップ２１内の洗浄水は、図２に示すように、連結感４の下連結部４ａ、途中部４ｂ及び上連結部４ｃ並びに吐水管５の下吐水部５ａ及び上吐水部５ｂを経て吐水口５ｃに導かれ、吐水口５ｃから手洗鉢７に向かって吐水される。吐水口５ｃから手洗鉢７に吐水される洗浄水によって手洗を行うことができる。手洗鉢７に吐水された手洗後の洗浄水は、排水口７ｂを経て洗浄タンク３内に排出される。
【００２６】
洗浄タンク３に貯留された洗浄水が一定の水位になると、図３に示すボールタップ２１が閉状態となり、それ以上洗浄タンク３への洗浄水の給水が停止される。また、これによりボールタップ２１内の洗浄水が連結管４及び吐水管５を経て吐水口５ｃに導かれなくなるため、吐水口５ｃからの洗浄水の吐水も停止される。
【００２７】
こうして、この洋風水洗式便器では、洋風便器本体１の洗浄とともに手洗が可能であるため、手洗装置を別に設ける必要がなく経済的であり、省スペースを実現することもできる。また、手洗後の洗浄水を洗浄タンク３に貯留して洋風便器本体１の洗浄に供するため、洗浄水の有効利用により、ランニングコストの低廉化が可能となる。
【００２８】
また、この洋風水洗式便器では、図２に示すように、連結管４の上連結部４ｃが途中部４ｂよりも背後に偏心しており、吐水管５の下吐水部５ａはその上連結部４ｃと直線状に連通している。このため、上連結部４ｃ及び下吐水部５ａをタンクカバー２の背面に極めて近い位置とすることができる。このため、手洗鉢７の背後の空間を小さくすることができ、手洗鉢７を背後側に広くして容積を大きくすることができる。この洋風水洗式便器は、タンクカバー２が防露材３ａによって囲包されているため、防露材３ａの肉厚によって途中部４ｂがタンクカバー２の背面から大きく前方にずれた位置で上壁２ｂに固定されていることから、特にこの効果が大きい。
【００２９】
また、この洋風水洗式便器では、連結管４の下連結部４ａから途中部４ｂまでの高さ方向の長さを長くしなくても手洗鉢７の容積を大きくすることができるため、タンクカバー２の上壁２ａの位置が高くなることはない。このため、手洗鉢７の位置が無用に高くなることはなく、手洗が容易であるとともに、省スペースが実現される。
【００３０】
したがって、この洋風水洗式便器によれば、手洗鉢７の容積を拡大でき、かつ手洗を容易に行うことができるとともに省スペースを実現することが可能である。
【００３１】
（実施形態２）
実施形態２は第２発明を具体化したものである。この洋風水洗式便器では、図５に示すように、連結管１４の下連結部１４ａがボールタップ２１と連通し、途中部１４ｂはタンクカバー２の上壁２ｂに固定されている。上連結部１４ｃはこの途中部４ｂから直線状に上方に延在されている。
【００３２】
吐水管１５の下吐水部１５ａの下端にはパッキン１４ｄが設けられており、パッキン１４ｄ内に上連結部１４ｃが挿入されている。上吐水部１５ｂは、この下吐水部１５ａから背後側に斜め上方に屈曲した後に上方に延在されている。こうして、上吐水部１５ｂは下吐水部１５ａよりも背後に偏心している。他の構成は図１〜４に示す実施形態１の洋風水洗式便器と同様であり、同一の構成については同一の符号を付して詳細な説明を省略する。
【００３３】
この洋風水洗式便器では、吐水管１５の上吐水部１５ｂが下吐水部１５ａよりも背後に偏心しているため、上吐水部１５ｂがタンクカバー２の背面に極めて近い位置となる。このため、手洗鉢７の背後の空間を小さくすることができ、手洗鉢７を背後側に広くして容積を大きくすることができる。他の作用効果は実施形態１の洋風水洗式便器と同様である。
【図面の簡単な説明】
【図１】実施形態１、２の洋風水洗式便器の全体斜視図である。
【図２】実施形態１の洋風水洗式便器の一部縦断面図である。
【図３】実施形態１の洋風水洗式便器の一部正面図である。
【図４】実施形態１の洋風水洗式便器の要部拡大断面図である。
【図５】実施形態２の洋風水洗式便器の要部拡大断面図である。
【図６】従来の洋風水洗式便器の一部縦断面図である。
【符号の説明】
１…洋風便器本体
２１…ボールタップ
３…洗浄タンク
２…タンクカバー
７…手洗鉢
５ｃ…吐水口
４、５、１４、１５…吐水装置（４、１４…連結管（４ａ、１４ａ…下連結部、４ｃ、１４ｃ…上連結部、４ｂ、１４ｂ…途中部）、５、１５…吐水管（５ａ、１５ａ…下吐水部、５ｂ、１５ｂ…上吐水部））
３ａ…防露材
【図１】
0003859061.tif 000002
【図２】
0003859061.tif 000003
【図３】
0003859061.tif 000004
【図４】
0003859061.tif 000005
【図５】
0003859061.tif 000006
【図６】
0003859061.tif 000007